(57)【要約】【課題】遊技盤を合理的に構成することができる遊技機の遊技盤装置を提供する。【解決手段】遊技領域７０を区画形成する外レール７３と内レール７４、７５とを備えた案内レール７１が表面側に配置される。遊技領域７０に遊技に関するセンター役物装置８１、他の役物装置８３、８５、８６、風車器８７、遊技釘等が配設される遊技盤５０を備える。遊技盤５０の表側には、遊技領域７０を前方から視認可能な遊技領域開口部３２を有する遊技盤表面部材３１が配設される。遊技盤５０は、複数の分割盤５１、６１、６５に分割される。複数の分割盤５１、６１、６５は、遊技盤表面部材３１の裏面側に位置決めされて装着される。【選択図】図３
2010194247.tif 000002
【特許請求の範囲】
【請求項１】
遊技領域を区画形成する外レールと内レールとを備えた案内レールが表面側に配置され、前記遊技領域に遊技に関するセンター役物装置、他の役物装置、風車器、遊技釘等が配設される遊技盤を備えた遊技機の遊技盤装置であって、
前記遊技盤の表側には、前記遊技領域を前方から視認可能な遊技領域開口部を有する遊技盤表面部材が配設され、
前記遊技盤は、複数の分割盤に分割され、
前記複数の分割盤は、前記遊技盤表面部材の裏面側に位置決めされて装着されることを特徴とする遊技機の遊技盤装置。
【請求項２】
請求項１に記載の遊技機の遊技盤装置であって、
複数の分割盤には、センター役物装置が組み付けられる組付孔を分割構成する分割孔部がそれぞれ形成されていることを特徴とする遊技機の遊技盤装置。
【請求項３】
請求項１又は２のいずれか一項に記載の遊技機の遊技盤装置であって、
前記遊技盤表面部材の遊技領域開口部の周面は、案内レールの外周面を支持するレール支持面としていることを特徴とする遊技機の遊技盤装置。
【請求項４】
請求項３に記載の遊技機の遊技盤装置であって、
前記遊技盤表面部材の遊技領域開口部の周面には、案内レールの幅方向一端部が差し込まれて保持されるレール差込溝が形成されていることを特徴とする遊技機の遊技盤装置。
【発明の詳細な説明】
【技術分野】
【０００１】
この発明は、パチンコ機、アレンジボール機等の球（パチンコ球）を用いて遊技を行う遊技機における遊技盤装置に関する。
【背景技術】
【０００２】
従来、パチンコ機、アレンジボール機等の球を用いて遊技を行う遊技機においては、例えば、特許文献１に開示されている。
この種の遊技機においては、通常、矩形板状をなす一枚の木質板（主としてベニヤ合板）により遊技盤素材が形成され、この遊技盤素材の所定位置（遊技領域内の各箇所）に、遊技に関するセンター役物装置、他の役物装置等に対応する各種の組付孔がルータ加工等により孔明け加工されることによって遊技盤が構成される。
そして、遊技盤の表面（前面）に、遊技領域を区画形成する外レールと内レールとを備えた案内レールが配置され、各種の組付孔に、センター役物装置、他の役物装置が配設されると共に、風車器、遊技釘等が配設される。
【先行技術文献】
【特許文献】
【０００３】
【特許文献１】特開２００４−２２９７０８号公報
【発明の概要】
【発明が解決しようとする課題】
【０００４】
ところで、近年、センター役物装置は大型化し、これに伴ってセンター役物装置に対応する組付孔も大きくなっている。
このため、一枚の木質板よりなる遊技盤素材に、大型のセンター役物装置に対応する大きさの組付孔をルータ加工等により孔明け加工するために必要な時間が長くなるばかりでなく、孔明け加工による廃材部分も多くなり材料歩留まりが悪い。
【０００５】
この発明の目的は、前記問題点に鑑み、遊技盤を合理的に構成することができる遊技機の遊技盤装置を提供することである。
【課題を解決するための手段】
【０００６】
前記課題を解決するために、この発明の請求項１に係る遊技機の遊技盤装置は、遊技領域を区画形成する外レールと内レールとを備えた案内レールが表面側に配置され、前記遊技領域に遊技に関するセンター役物装置、他の役物装置、風車器、遊技釘等が配設される遊技盤を備えた遊技機の遊技盤装置であって、
前記遊技盤の表側には、前記遊技領域を前方から視認可能な遊技領域開口部を有する遊技盤表面部材が配設され、
前記遊技盤は、複数の分割盤に分割され、
前記複数の分割盤は、前記遊技盤表面部材の裏面側に位置決めされて装着されることを特徴とする。
【０００７】
前記構成によると、遊技盤表面部材の裏面側に複数の分割盤が位置決めされて装着されることによって遊技盤が構成されると共に、この遊技盤と遊技盤表面部材とにより遊技盤装置が構成される。
したがって、一枚の遊技盤素材によって遊技盤を形成する場合と比べ、複数に分割した分だけ板面積の小さい木質材や合成樹脂製の成形品、金属製の成形品、あるいはこれらの組み合わせによって所望とする遊技盤を容易に構成することができる。
このため、材料歩留まりを向上させることが可能となると共に、多種多様の遊技盤を合理的に構成することができる。
例えば、複数の分割盤のうち、所定数の分割盤を木質材によって形成し、他の分割盤を合成樹脂材によって形成することによって、従来にない遊技盤を構成することが可能となる。
また、透明又は半透明の合成樹脂材によって分割盤を形成することによって、この分割盤の裏面側が視認可能となったり、あるいは、分割盤の裏面側にＬＥＤ、ランプ等の照明電飾装置を配置して電飾効果を図ることが可能となる。
【０００８】
請求項２に係る遊技機の遊技盤装置は、請求項１に記載の遊技機の遊技盤装置であって、
複数の分割盤には、センター役物装置が組み付けられる組付孔を分割構成する分割孔部がそれぞれ形成されていることを特徴とする。
【０００９】
前記構成によると、遊技盤表面部材の裏面側に複数の分割盤が位置決めされて装着されると、これら複数の分割盤の各分割孔部によってセンター役物装置の組付孔が形成される。このため、大型のセンター役物装置に対応する大きさの組付孔を形成する場合においても、複数の分割盤の各分割孔部を切り欠き状に形成して組付孔を容易に形成することができる。
【００１０】
請求項３に係る遊技機の遊技盤装置は、請求項１又は２のいずれか一項に記載の遊技機の遊技盤装置であって、
前記遊技盤表面部材の遊技領域開口部の周面は、案内レールの外周面を支持するレール支持面としていることを特徴とする。
【００１１】
前記構成によると、遊技盤表面部材の遊技領域開口部の周面をレール支持面として案内レールの外周面を支持することによって、案内レールの変形を防止することができると共に、遊技盤の表面に突出しかつレール釘によって固定される従来の案内レールと比べ、板厚の薄い帯状金属板によって案内レールを形成することが可能となる。
【００１２】
請求項４に係る遊技機の遊技盤装置は、請求項３に記載の遊技機の遊技盤装置であって、
前記遊技盤表面部材の遊技領域開口部の周面には、案内レールの幅方向一端部が差し込まれて保持されるレール差込溝が形成されていることを特徴とする。
【００１３】
前記構成によると、遊技盤表面部材の遊技領域開口部の周面に形成されたレール差込溝に案内レールの幅方向一端部を差し込んで保持することによって、案内レールを安定よく保持することができる。
【図面の簡単な説明】
【００１４】
【図１】この発明の実施例１に係る遊技盤装置が採用された遊技機を示す正面図である。
【図２】同じく遊技盤表面部材の裏面側に複数の分割盤よりなる遊技盤が装着された状態を示す正面図である。
【図３】同じく遊技盤装置を構成する遊技盤表面部材と、遊技盤を形成する複数の分割盤と案内レールを形成する外レール及び第１の内レールとが分離された状態を示す斜視図である。
【図４】同じく図３のＩＶ−ＩＶ線に基づく遊技盤表面部材の断面図である。
【図５】同じく図３のＶ−Ｖ線に基づく遊技盤表面部材の断面図である。
【図６】同じく図３のＶＩ−ＶＩ線に基づく遊技盤表面部材の断面図である。
【図７】同じく遊技盤装置を正面側から示す斜視図である。
【図８】同じく遊技盤装置を背面側から示す斜視図である。
【発明を実施するための形態】
【００１５】
この発明を実施するための最良の形態について実施例にしたがって説明する。
【実施例１】
【００１６】
この発明の実施例１を図面にしたがって説明する。
図１に示すように、パチンコ機、アレンジボール機等の球を用いて遊技を行う遊技機（弾球遊技機と呼ばれることもある）１の外枠１０は、縦長四角形の枠状に形成され、その外枠１０の前面の片側には、ヒンジ機構１２によって前枠１５が前方に開閉可能に装着されている。
前枠１５には遊技盤装着部（図示しない）が形成され、この遊技盤装着部には、後述する遊技盤５０を備えた遊技盤装置３０が着脱交換可能に装着される。
また、前枠１５の表側には、遊技盤装置３０に対応する大きさの開口窓を備えたガラス扉２０がその片側においてヒンジ機構（図示しない）によって開閉可能に装着されている。
ガラス扉２０の裏面側には開口窓に沿って窓枠が配設され、この窓枠にはガラス板等の透明窓板２１が着脱交換可能に装着される。
また、前枠１５のガラス扉２０の下方には上皿２５が配設され、この上皿２５の下方には下皿２６が配設されている。
また下皿２６の片側（図１に向かって右側）には、球（パチンコ球）を発射するハンドル装置２７が配設されている。
【００１７】
図２と図３に示すように、遊技盤装置３０は、遊技盤表面部材３１と遊技盤５０とを主体として構成される。
遊技盤表面部材３１は、合成樹脂材の射出成形やアルミ合金等のダイキャスト成形によって遊技盤５０とほぼ同じ大きさの矩形板状に形成される。さらに、遊技盤表面部材３１は、案内レール７１の板幅寸法よりも若干大きい板厚寸法をもって形成されている。そして、遊技盤表面部材３１の中央部には、遊技盤５０の遊技領域７０を前方の遊技者側から視認可能なほぼ円形の遊技領域開口部３２が遊技盤表面部材３１の成形と同時に形成される。
また、遊技盤表面部材３１の裏面の下部中央部には、案内レール７１の板幅寸法と略同じ大きさの深さをもって凹部３９ａが形成され、これによって遊技盤表面部材３１の下部中央部に薄肉部３９が形成されている。
【００１８】
図３に示すように、遊技盤表面部材３１の遊技領域開口部３２の周面のうち片側周面及び凹部３９ａの片側壁面は、案内レール７１を構成する外レール７３の外周面を当接状態で支持する外レール支持面３３としている。
また、遊技盤表面部材３１の遊技領域開口部３２の周面のうち反対側周面は、案内レール７１を構成する第２の内レール７５の外周面を支持する内レール支持面３６としている。
【００１９】
図３〜図５に示すように、遊技盤表面部材３１の外レール支持面３３の表側（遊技者側から視て手前側）には、外レール７３の幅方向一端部が圧入状態で差し込まれるレール差込溝３４を外レール支持面３３と協働して構成する保持片３５が形成されている。
また、図３と図６に示すように、遊技盤表面部材３１の内レール支持面３６の表側には、第２の内レール７５の幅方向一端部が圧入状態で差し込まれるレール差込溝３７を内レール支持面３６と協働して構成する保持片３８が形成されている。そして、各レール差込溝３４、３７には、外レール７３と第２の内レール７５とがそれぞれ圧入状態で差し込まれることで保持されるようになっている。
【００２０】
また、図３〜図６に示すように、遊技盤表面部材３１の裏面には、次ぎに述べる遊技盤５０を構成する複数の分割盤としての第１の分割盤５１を位置決めして装着するための複数（図３では４つ）の筒状の位置決めピン４１と、第２の分割盤６１を位置決めして装着するための複数（図３では３つ）の筒状の位置決めピン４２と、第３の分割盤６５を位置決めして装着するための複数（図３では３つ）の筒状の位置決めピン４３とがそれぞれ突設されている。
【００２１】
図３に示すように、遊技盤５０は、複数の分割盤としての第１〜３の分割盤５１、６１、６５によって分割構成（形成）されている。これら第１〜３の分割盤５１、６１、６５には、遊技盤表面部材３１の各複数の位置決めピン４１、４２、４３が嵌挿される各複数のピン孔５２、６２、６６がそれそれ貫設されている。
【００２２】
この実施例１において、図７と図８に示すように、第１の分割盤５１は、遊技盤５０の下半部を構成し、第２の分割盤６１は、遊技盤５０の上部片側（図７に向かって左側）を構成し、第３の分割盤６５は遊技盤５０の上部反対側（図７に向かって右側）を構成する。そして、第１〜３の分割盤５１、６１、６５には、センター役物装置８１が組み付けられる組付孔５４を分割構成する分割孔部５５、６４、６８がそれぞれ形成されている。
【００２３】
また、第１〜３の分割盤５１、６１、６５のうち、遊技釘（図示しない）が打ち付けられる第１、第２の分割盤５１、６１は、ベニヤ合板等の木質材によって形成されている。
また、第３の分割盤６５は、木質材又はそれ以外の材料、例えば、合成樹脂材によって形成されている。そして、木質材の第１、第２の分割盤５１、６１の各分割孔部５５、６４は、ルータ加工等によって形成される。また、第３の分割盤６５が合成樹脂材の射出成形等によって形成される場合には、第３の分割盤６５の成形と同時に分割孔部６８が形成される。
【００２４】
図２と図７に示すように、第１の分割盤５１には、大入賞口装置８３に対応する組付孔５６、始動入賞器８５に対応する組付孔５７、一般入賞器８６に対応する組付孔５８、アウト口６０等がルータ加工等によって形成される。
さらに、第１の分割盤５１の表面には、外レール７３と協働して球発射通路７２を構成する第１の内レール７４がレール釘等によって取り付けられている。
【００２５】
すなわち、遊技盤表面部材３１の各レール差込溝３４、３７には、外レール７３と第２の内レール７５とがそれぞれ圧入状態で差し込まれて保持された後、第１〜３の分割盤５１、６１、６５の各複数のピン孔５２、６２、６６に各複数の位置決めピン４１、４２、４３が嵌挿される。ここで、各複数の位置決めピン４１、４２、４３の先端面から締付ねじ５３、６３、６７を締め付けることによって、第１〜３の分割盤５１、６１、６５が遊技盤表面部材３１の裏面に位置決めされて装着され、これら第１〜３の分割盤５１、６１、６５によって遊技盤５０が形成される。
そして、遊技盤５０の表面側には、遊技領域７０を区画形成する外レール７３と第１、第２の内レール７４、７５を備えた案内レール７１が構成される。
また、遊技盤５０の表面側には、その遊技領域７０内において、第１〜３の分割盤５１、６１、６５の各分割孔部５５、６４、６８によって形成された組付孔５４に取付基盤８０によってセンター役物装置８１が組み付けられる。さらに、第１の分割盤５１の各組付孔５６、５７、５８には大入賞口装置８３、始動入賞器８５、一般入賞器８６がそれぞれ組み付けられる。
さらに、図２に示すように、第１の分割盤５１の表面の所定位置には、風車器８７が取り付けられ、第１の分割盤５１と第２の分割盤６１には、多数の遊技釘（図示しない）が打ち付けられて配置される。
なお、センター役物装置８１には、図柄表示装置８２が組み付けられ、始動入賞器８５の入賞口に球が入ったときに、周知のように図柄表示装置８２の表示面が変動表示されるようになっている。
【００２６】
上述したように構成されるこの実施例１に係る遊技機の遊技盤装置において、遊技盤表面部材３１の裏面に、第１〜３の分割盤５１、６１、６５が各位置決めピン４１、４２、４３と各ピン孔５２、６２、６６との嵌合作用によって位置決めされて装着され、これによって遊技盤５０が構成される。そして、遊技盤５０と遊技盤表面部材３１とにより遊技盤装置３０が構成される。
したがって、従来の一枚の遊技盤素材によって遊技盤を形成する場合と比べ、第１〜３の分割盤５１、６１、６５に分割した分だけ板面積の小さい木質材や合成樹脂製、金属製の成形品、あるいはこれらの組み合わせによって遊技盤５０を容易に構成することができる。
このため、材料歩留まりを向上させることが可能となると共に、多種多様の遊技盤５０を合理的に構成することができる。
【００２７】
この実施例１において、第１〜３の分割盤５１、６１、６５のうち、第１及び第２の分割盤５１、６１を木質材（ベニヤ合板）によって形成し、第３の分割盤６５を合成樹脂材によって形成することによって、従来にない遊技盤５０を構成することが可能となる。
また、第３の分割盤６５が透明又は半透明の合成樹脂材によって形成されることによって、第３の分割盤６５の裏面側が視認可能となったり、あるいは、第３の分割盤６５の裏面側にＬＥＤ、ランプ等の照明電飾装置を配置して電飾効果を図ることが可能となる。
【００２８】
また、遊技盤表面部材３１の裏面に、第１〜３の分割盤５１、６１、６５が各位置決めピン４１、４２、４３と各ピン孔５２、６２、６６との嵌合作用によって位置決めされて装着されると、これら第１〜３の分割盤５１、６１、６５の各分割孔部５５、６４、６８によってセンター役物装置８１を取付基盤８０を介して組み付けられる組付孔５４が形成される。
このため、大型のセンター役物装置８１に対応する大きさの組付孔５４を形成する場合においても、第１〜３の分割盤５１、６１、６５の各分割孔部５５、６４、６８を切り欠き状に形成して組付孔５４を容易に形成することができる。
【００２９】
この実施例１において、木質材よりなる第１、第２の分割盤５１、６１の各分割孔部５５、６４をルータ加工等によって短時間で容易に形成することができる。
また、第３の分割盤６５を合成樹脂材の射出成形によって形成した場合には、第３の分割盤６５の成形と同時に分割孔部６８を形成することができる。
【００３０】
また、木質材よりなる第１、第２の分割盤５１、６１には、多数の遊技釘を容易に打ち付けることができると共に、合成樹脂製にした場合を比べ、遊技釘の傾き角度の調整作業も容易となる。
仮に、第１、第２の分割盤５１、６１が合成樹脂製である場合、遊技釘を打ち付けることが厄介となるばかりでなく、遊技釘の傾き角度の調整作業の際に釘孔が拡張されて遊技釘が脱落しやすくなる不具合が生じるが、第１、第２の分割盤５１、６１を木質製とすることで前記した不具合が生じない。
【００３１】
また、遊技盤表面部材３１の外レール支持面３３によって外レール７３の外周面を支持し、内レール支持面３６に第２の内レール７５の外周面を支持することによって、これら外レール７３と第２の内レール７５との変形をそれぞれ防止することができる。このため、遊技盤の表面に突出しかつレール釘によって固定される従来の案内レールと比べ、板厚の薄い帯状金属板によって外レール７３と第２の内レール７５とを形成することが可能となる。
【００３２】
また、遊技盤表面部材３１の外レール支持面３３のレール差込溝３４に外レール７３の幅方向一端部を、内レール支持面３６のレール差込溝３７に第２の内レール７５の幅方向一端部を差し込んでそれぞれ保持することによって、これら外レール７３と第２の内レール７５とをそれぞれ安定よく保持することができる。
【００３３】
なお、この発明は前記実施例１に限定するものではなく、この発明の要旨を逸脱しない範囲内において、種々なる形態で実施することもできる。
例えば、前記実施例１においては、第１〜３の分割盤５１、６１、６５によって遊技盤５０が分割構成（形成）される場合を例示したが、二つの分割盤によって遊技盤を構成することもでき、三つ以上の分割盤によって遊技盤を構成することもできる。
また、遊技盤表面部材３１の周面の外レール支持面３３及び内レール支持面３６に外レール７３と第２の内レール７５とをビス等によって固定することもできる。
また、遊技盤表面部材３１を合成樹脂材の射出成形によって成形する際に、成形型内に案内レール（外レール７３と第２の内レール７５）７１をセットし、インサート成形によって案内レール（外レール７３と第２の内レール７５）７１を遊技盤表面部材３１に固定することも可能である。
また、遊技盤表面部材３１の裏面の位置決めピン４１、４２、４３は、遊技盤表面部材３１を合成樹脂材の射出成形によって成形する際に、遊技盤表面部材３１と同材質の合成樹脂材料によって一体成形してもよく、また、位置決めピン４１、４２、４３を遊技盤表面部材３１とは別体に形成して、遊技盤表面部材３１の裏面に固定してもよい。
【符号の説明】
【００３４】
１  遊技機
３０  遊技盤装置
３１  遊技盤表面部材
３２  遊技領域開口部
３３  外レール支持面
３４  レール差込溝
３５  保持片
３６  内レール支持面
３７  レール差込溝
３８  保持片
４１、４２、４３  位置決めピン
５０  遊技盤
５１  第１の分割盤
５４  組付孔
５５、６４、６８  分割孔部
６１  第２の分割盤
６５  第３の分割盤
７０  遊技領域
７１  案内レール
７３  外レール
７４  第１の内レール
７５  第２の内レール
８１  センター役物装置
【図１】
2010194247.tif 000003
【図２】
2010194247.tif 000004
【図３】
2010194247.tif 000005
【図４】
2010194247.tif 000006
【図５】
2010194247.tif 000007
【図６】
2010194247.tif 000008
【図７】
2010194247.tif 000009
【図８】
2010194247.tif 000010